(57)【特許請求の範囲】
【請求項１】
浴槽内の残水を追い焚きし、設定温度までの沸き上がりに要した時間からその水量を求める残水量演算方法であって、
残水の追い焚きの途中に設定温度の変更があったときは現在の残水の温度を測定し、
変更された新たな設定温度よりも測定された残水の現在温度の方が低い場合には、追い焚き動作をそのまま継続して新たな設定温度になるまで残水を追い焚きし、設定温度に達したときに残水量の演算を行う、
ことを特徴とすることを特徴とする残水量演算方法。
【請求項２】
前記設定温度までの追い焚きは、その設定温度になるまで前記残水を風呂熱交換器で加熱することにより行うことを特徴とする請求項１記載の残水量演算方法。
【請求項３】
前記設定温度までの追い焚きは、所定温度だけ前記設定温度を下回るまで前記残水を風呂熱交換器で加熱し、その後は余熱により前記残水の温度を上昇させることにより行うことを特徴とする請求項１記載の残水量演算方法。
【請求項４】
前記所定温度は、あらかじめ規定された数値であることを特徴とする請求項３記載の残水量演算方法。
【請求項５】
前記所定温度は、前回の追い焚き時における余熱による上昇温度をもとにして規定された数値であることを特徴とする請求項３記載の残水量演算方法。
【請求項６】
前記所定温度は、過去複数回の追い焚き時における余熱による上昇温度の平均値をもとにして規定された数値であることを特徴とする請求項３記載の残水量演算方法。
【請求項７】
前記所定温度は、前記設定温度との関係で規定される余熱による上昇温度をもとにして規定された数値であることを特徴とする請求項３記載の残水量演算方法。
【請求項８】
前記所定温度は、大気温度との関係で規定される余熱による上昇温度をもとにして規定された数値であることを特徴とする請求項３記載の残水量演算方法。
【請求項９】
前記所定温度は、前記設定温度と大気温度との関係で規定される余熱による上昇温度をもとにして規定された数値であることを特徴とする請求項３記載の残水量演算方法。
【発明の詳細な説明】
【０００１】
【発明の属する技術分野】
本発明は、浴槽への湯張りに先立って行われる残水量の演算方法に関するものである。
【０００２】
【従来の技術】
給湯器や風呂釜には、ユーザが自動スイッチを押すだけで、あらかじめ設定された量の湯が設定された温度で浴槽へ自動的に湯張りされる自動湯張り機能を有しているものがある。
【０００３】
このような浴槽への湯張りに際して、既に浴槽内に残水がある場合にもこれを無視して注湯すると、最終的に沸き上がった状態では残水分だけ湯量が多くなってしまう。そこで、このような事態を防止して適正な湯量に制御するために、湯張りに先立って残水量を求めることが行われている。そして、設定水量から残水量を引いた水量を浴槽へ注湯するようにしている。
【０００４】
残水量を求める方法としては、配管内に設置された圧力センサの水圧から演算で求める技術が知られている。また、圧力センサを用いずに求める方法としては、残水を設定温度まで追い焚きし、その沸き上がり時間から演算で求める技術が知られている。これは、残水量が多ければそれだけ沸き上がり時間が長くなることに着目したものである。
【０００５】
ここで、後者の技術について、さらに詳しく説明する。
【０００６】
図４は、従来の追い焚きによる残水量を求める手順を示すフローチャートである。
【０００７】
図示するように、当該技術では、ユーザが設定温度を入力すると（Ｓ51）、タイマがスタートして（Ｓ52）残水の追い焚きが開始される（Ｓ53）。そして、残水が設定温度に到達したならば（Ｓ54）追い焚きを終了して（Ｓ55）最終温度が測定され（Ｓ56）、タイマをストップして（Ｓ57）残水量の演算が行われる（Ｓ58）。また、設定温度の変更があったならば（Ｓ59）、タイマのリセットを行って（Ｓ60）残水の追い焚きを中止し（Ｓ61）、再度タイマをスタートして（Ｓ52）追い焚きを開始し（Ｓ53）、変更された設定温度まで加熱している（Ｓ54）。
【０００８】
【発明が解決しようとする課題】
図４のフローチャートにおける設定温度の変更と湯温との関係を図５に示す。
【０００９】
図５に示すように、湯温ｒ1 となった追い焚きの途中である時間ｔ1 において設定温度をｒ2 からｒ3 に変更すると、そこから一旦追い焚きが中止されて時間ｔ2 で再開されることから（ｔ2 −ｔ1 ）だけタイムラグが生じる。すると、変更後の設定温度ｒ3 になるまでの時間ｔ3 は、そのタイムラグ分だけ余計にかかってしまう。
【００１０】
このようなシーケンスにおいて、配管が十分に加熱して湯温の上昇勾配が安定した時間ｔ0 から時間ｔ3 までをとって残水量演算を行うと、正確な沸き上がり時間が基礎になっていないことから正確な残水量を求めることができない。
【００１１】
そこで、本発明は、浴槽内の残水を追い焚きしている途中に設定温度の変更があった場合でも、残水量を正確に求めることのできる残水量演算方法を提供することを目的とする。
【００１２】
【課題を解決するための手段】
上記課題を解決するため、本発明に係る残水量演算方法は、浴槽内の残水を追い焚きし、設定温度までの沸き上がりに要した時間からその水量を求める残水量演算方法であり、残水の追い焚きの途中に設定温度の変更があったときは現在の残水の温度を測定し、変更された新たな設定温度よりも測定された残水の現在温度の方が低い場合には、追い焚き動作をそのまま継続して新たな設定温度になるまで残水を追い焚きし、設定温度に達したときに残水量の演算を行うことを特徴とする。
【００１３】
この残水量演算方法において、設定温度までの追い焚きは、その設定温度になるまで残水を風呂熱交換器で加熱することにより行われる。
【００１４】
また、この残水量演算方法において、所定温度だけ設定温度を下回るまで残水を風呂熱交換器で加熱し、その後は余熱により残水の温度を上昇させることにより行われる。
【００１５】
ここで、所定温度は、あらかじめ規定された数値とすることができる。また、所定温度は、前回の追い焚き時における余熱による上昇温度をもとにして規定された数値とすることができる。所定温度は、過去複数回の追い焚き時における余熱による上昇温度の平均値をもとにして規定された数値とすることができる。所定温度は、設定温度との関係で規定される余熱による上昇温度をもとにして規定された数値とすることができる。所定温度は、大気温度との関係で規定される余熱による上昇温度をもとにして規定された数値とすることができる。そして、所定温度は、設定温度と大気温度との関係で規定される余熱による上昇温度をもとにして規定された数値とすることができる。
【００１６】
このような発明によれば、残水の追い焚きにおいて設定温度の変更があった場合でも残水の正味の沸き上がり時間を計測することが可能になり、残水量演算を行った結果から正確な残水量を求めることができる。
【００１７】
【発明の実施の形態】
以下、本発明の実施の形態を、図面を参照しつつさらに具体的に説明する。なお、発明の実施の形態は、本発明が実施される特に有用な形態としてのものであり、本発明がその実施の形態に限定されるものではない。
【００１８】
図１は本発明の一実施の形態である残水量演算方法が適用される風呂給湯器を示す概略図、図２は本発明の一実施の形態である残水量演算方法が用いられた湯張り運転の手順を示すフローチャート、図３は図２のフローチャートにおける設定温度の変更と湯温との関係を示すグラフである。
【００１９】
図１に示す風呂給湯器１は、浴槽１２や台所などに給湯を行う給湯器に追焚き機能が追加されたものであり、給湯熱交換器２と風呂熱交換器３の２つの熱交換器が併設されている。
【００２０】
給湯熱交換器２が設置された給湯配管４の給水側にはフローセンサ５が取り付けられて水量が検出されるようになっている。また、給湯熱交換器２の近傍下流側には熱交サーミスタ６が取り付けられており、給湯熱交換器２に加熱された湯の温度が測定される。
【００２１】
給湯配管４には、給水された水を給湯熱交換器２を通すことなく直接給湯熱交換器２の下流側に案内するバイパス通路７が接続されている。したがって、給湯配管４内に導入された水は、バイパス通路７との分岐部分で給湯熱交換器２を通過するものと通過しないものとに分流され、両者の集合部分で合流する。
【００２２】
給湯配管４の給湯側には出湯温度を測定する出湯サーミスタ８、給湯水量を制御する水量制御弁９、給湯確認を行う給湯確認スイッチ１０が順次設置されている。また、給湯時の流速を調整するハイカットガバナ１１が水量制御弁９と並列に設置されている。
【００２３】
一方、風呂熱交換器３が設置された風呂配管１４は、浴槽１２の側壁に開口して延びる戻り管１４ａおよび往き管１４ｂから構成されている。戻り管１４ａ上には循環ポンプ１５が設置されており、浴槽水を戻り管１４ａから取り込んで風呂熱交換器３により加熱し、往き管１４ｂから再び浴槽１２へと戻す循環路を形成して追焚きを行うようになっている。
【００２４】
戻り管１４ａに設置された循環ポンプ１５と風呂熱交換器３との間には、給湯配管４における水量制御弁９の下流側から分岐して延びる分岐管１６が接続されている。分岐管１６には注湯弁１７が設置されており、この注湯弁１７を開位置にすると給湯配管４と風呂配管１４とが連通されて、給湯配管４からの湯が往き管１４ａおよび戻り管１４ｂの双方から浴槽１２に注湯される。なお、分岐管１６の戻り管１４ａ側には逆止弁１８が取り付けられている。
【００２５】
循環ポンプ１５の上流側には、風呂配管１４内に湯が流れたときにオンになる風呂流水スイッチ１９と、浴槽１２内の湯の温度を測定する風呂サーミスタ２０が設けられている。
【００２６】
以上のような構成の水の流通経路に対し、ガス配管は元ガス電磁弁２１ならびに水量に比例してその開度を変化させるガス比例弁２２が取り付けられた主ガス配管２３と、この主ガス配管２３から分岐した風呂ガス配管２４および給湯ガス配管２５からなる。
【００２７】
風呂ガス配管２４には風呂ガス電磁弁２６が、給湯ガス配管２５には給湯ガス電磁弁２７ａおよびガス切替弁２７ｂ，２７ｃが設置され、風呂バーナ２８および給湯バーナ２９ａ，２９ｂ，２９ｃがそれぞれ燃焼室１３に位置して取り付けられている。これにより、風呂ガス電磁弁２６が開位置になると風呂バーナ２８にガスが供給される。また、給湯ガス電磁弁２７ａが開位置になると給湯バーナ２９ａにガスが供給され、さらにガス切替弁２７ｂが切り替わると給湯バーナ２９ｂに、ガス切替弁２７ｃが切り替わると給湯バーナ２９ｃに、ガスが供給される。
【００２８】
風呂バーナ２８および給湯バーナ２９ａ，２９ｂ，２９ｃに対応して、火花放電により各バーナ２８，２９ａ，２９ｂ，２９ｃをそれぞれ点火する風呂イグナイタ３０および給湯イグナイタ３１、点火されたバーナ２８，２９ａ，２９ｂ，２９ｃの火炎を検知する風呂フレームロッド３２および給湯フレームロッド３３が配置されている。
【００２９】
燃焼室１３には、この燃焼室１３内に燃焼用の空気を取り込むための燃焼ファン３４および燃焼ファン３４による風量を検出するＡＦセンサ３７が設置されている。また、空気の取り入れ口の近傍には、導入する大気温度を測定するための大気サーミスタ３５が、燃焼室１３内には、導入された大気温度を測定するための大気サーミスタ３６が、それぞれ設けられている。
【００３０】
そして、本実施の形態の給湯器１には、フローセンサ５、熱交サーミスタ６、出湯サーミスタ８、水量制御弁９、循環ポンプ１５、注湯弁１７、風呂サーミスタ２０、元ガス電磁弁２１、ガス比例弁２２、風呂ガス電磁弁２６、給湯ガス電磁弁２７ａ、ガス切替弁２７ｂ，２７ｃ、風呂イグナイタ３０、給湯イグナイタ３１、風呂フレームロッド３２、給湯フレームロッド３３、燃焼ファン３４、大気サーミスタ３５，３６、ＡＦセンサ３７と電気的に接続された電装基板４０を有している。この電装基板４０は、これらの各接続箇所から所定の信号を受け取ったり指令を出すことにより、浴室リモコン４１ａや台所リモコン４１ｂにより設定された条件で給湯器１を運転するようになっている。
【００３１】
次に、このような給湯器による給湯運転および湯張り運転について説明する。なお、湯張り運転は図２のフローチャートを用いて説明する。
【００３２】
給湯運転では、給湯栓が開位置となると水が給湯配管４内に流れ始める。この水はフローセンサ５を通って給湯熱交換器２とバイパス通路７とに分岐して流れる。水量が一定以上に達するとこれをフローセンサ５が感知し、燃焼ファン３４が回転して燃焼室１３内のプリパージが開始される。そして、燃焼ファン３４が所定の回転数に達してプリパージ時間が経過すると、給湯イグナイタ３１から放電が開始される。また、これとともに、元ガス電磁弁２１、給湯ガス電磁弁２７ａ、ガス切替弁２７ｂ，２７ｃ、ガス比例弁２２が開いて給湯バーナ２９ａ，２９ｂ，２９ｃにガスが流れることにより給湯バーナ２９ａ，２９ｂ，２９ｃが点火して給湯熱交換器２が加熱される。
【００３３】
そして、給湯熱交換器２での熱交換により加熱された湯とバイパス通路７を経た水とが混合されて設定湯温となって出湯される。なお、給湯バーナ２９ａ，２９ｂ，２９ｃの点火中は、給湯フレームロッド３３が火炎を検知して燃焼を継続させている。
【００３４】
湯張り運転では、使用者がリモコン４１の運転スイッチをオン（Ｓ11）にして湯温および湯量を設定し（Ｓ12）、湯張り・保温スイッチをオン（Ｓ13）にすると、循環ポンプ１５がオンになって（Ｓ14）残水チェックが開始される。
【００３５】
ここで、風呂流水スイッチ１９がオンになれば（Ｓ15）、浴槽１２内の残水が戻り管１４ａから流入したことになる。そこで、この場合には、タイマがスタートして（Ｓ16）追い焚きが開始される（Ｓ17）。
【００３６】
また、風呂流水スイッチ１９がオンにならなければ（Ｓ15）、浴槽１２内には少なくとも追い焚き金具の位置までの残水はないことになる。そこで、この場合には、さらに１０リットル注湯を行い（Ｓ18）、再度循環ポンプ１５をオンにして（Ｓ19）残水チェックを行う。その結果、風呂流水スイッチ１９がオンになれば（Ｓ20）浴槽１２内に残水が存在することになるので、タイマがスタートして（Ｓ16）追い焚きが開始される（Ｓ17）。一方、１０リットルの注湯でも風呂流水スイッチ１９がオンにならない場合には（Ｓ20）、浴槽１２内には残水がないものとされる。
【００３７】
さて、浴槽１２内の残水の追い焚きは、燃焼ファン３４が回転後、プリパージ時間が経過して風呂イグナイタ３０から放電が開始され、元ガス電磁弁２１、風呂ガス電磁弁２６、ガス比例弁２２が開いて風呂バーナ２８にガスが流れ、風呂バーナ２８が点火して風呂熱交換器３が加熱されることにより行われる。そして、設定温度（たとえば、４２℃）になるまで継続される。
【００３８】
ここで、残水が設定温度にまで到達したならば（Ｓ21）、残水追い焚きが終了して（Ｓ22）最終温度が測定され（Ｓ23）、タイマがストップして（Ｓ24）追い焚き時間が測定され、沸き上がり時間から残水量が算出される（Ｓ25）。
【００３９】
また、残水の追い焚きの途中に設定温度の変更があった場合には（Ｓ26）、現在温度が測定される（Ｓ27）。そして、変更後設定温度よりも現在温度の方が低い場合（たとえば、変更後設定温度が４０℃で、現在温度が３５℃の場合）には（Ｓ28）、設定温度の変更前の追い焚き動作がそのまま継続して行われ、設定温度に到達後（Ｓ21）追い焚きが終了して（Ｓ22）最終温度が測定され（Ｓ23）、タイマがストップして（Ｓ24）残水量が算出される（Ｓ25）。一方、変更後設定温度よりも現在温度の方が高い場合（たとえば、変更後設定温度が３６℃で、現在温度が３８℃の場合）には（Ｓ28）、直ちに残水追い焚きが終了となって（Ｓ22）最終温度が測定され（Ｓ23）、タイマがストップして（Ｓ24）残水量が算出される（Ｓ25）。
【００４０】
ここで、本実施の形態では、前述のように、設定温度の変更があっても、その新たな設定温度よりも現在温度の方が低い場合には追い焚き動作がそのまま継続して行われるようになっている。したがって、図３に示すように、湯温ｒ1 となった追い焚きの途中である時間ｔ1 において設定温度をｒ2 からｒ4 に変更した場合、タイムラグが生じることなく時間ｔ4 で湯温ｒ4 となるように沸き上がる。これにより、時間ｔ0 から時間ｔ4 までをとることにより正味の沸き上がり時間が計測されるので、正確な残水量演算が行われることになる。
【００４１】
このようにして残水量が算出された後、あるいは浴槽１２内に残水がないとされた場合には残水量が算出されることなく、設定水量までの注湯が行われる（Ｓ29）。ここでの注湯量は、設定水量から残水量を引いた水量、あるいは残水なしの場合には既に注湯された１０リットルを引いた水量になる。注湯時は、注湯弁１７が開いて給湯配管４と風呂配管１４とが連通されるとともに前述の要領で給湯バーナ２９ａ，２９ｂ，２９ｃが点火する。これにより、水がフローセンサ５から給湯熱交換器２、分岐管１６を通って風呂配管１４へ流入して戻り管１４ａと往き管１４ｂとに分かれて２箇所から浴槽１２へ注湯される。
【００４２】
その後、循環ポンプ１５が回転を開始し、これにより浴槽１２内の湯が戻り管１４ａを通って風呂流水スイッチ１９、循環ポンプ１５、風呂熱交換器３へと流れる。そして、水量が一定以上に達すると風呂流水スイッチ１９がオンになる。
【００４３】
ここで、風呂サーミスタ２０により湯温が測定され（Ｓ30）、設定湯温である場合には（Ｓ31）、循環ポンプ１５の作動が停止するとともに所定時間にわたって湯温の監視が行われる（Ｓ32）。なお、温度保持は、一定時間おきに循環ポンプ１５を回転させて風呂サーミスタ２０により湯温を測定し、必要に応じて追い焚き運転を行うことにより達成される。
【００４４】
一方、検出湯温が設定湯温以下である場合には（Ｓ31）、燃焼ファン３４が回転して燃焼室１３内のプリパージが開始される。そして、プリパージ時間が経過すると、風呂イグナイタ３０から放電が開始され、また、元ガス電磁弁２１、風呂ガス電磁弁２６、ガス比例弁２２が開いて風呂バーナ２８にガスが流れる。これにより風呂バーナ２８が点火して風呂熱交換器３が加熱され、風呂設定温度まで追い焚きが行われる（Ｓ33）。このようにして、設定湯温にまで加熱された後は、所定時間にわたって湯温の監視が行われる（Ｓ32）。
【００４５】
ここで、前述のように、残水の設定温度までの追い焚きは、設定温度になるまで風呂熱交換器３でこれを加熱することにより行われる。しかしながら、風呂バーナ２８を消火して風呂熱交換器３での加熱を終了しても、湯温は余熱のために若干上昇する。そこで、設定温度までの沸き上げをより正確に行うには、そのようなオーバーシュート分を見越しておいて、余熱上昇温度（所定温度）だけ設定温度を下回るまで風呂熱交換器３で加熱しておき、その後は余熱により温度を上昇させるのがよい。
【００４６】
余熱上昇温度は、たとえば０．５℃や１．０℃など、あらかじめ規定された数値とすることができる。仮に余熱上昇温度を１．０℃としておけば、設定温度を４０．０℃とした場合には、３９．０℃まで加熱した時点で風呂熱交換器３での加熱が終了され、その後は余熱による湯温上昇が行われる。
【００４７】
また、余熱上昇温度は、前回の追い焚き時における余熱による上昇温度をもとにして規定した数値とすることができる。たとえば前回の追い焚き時における余熱による上昇温度が０．８℃であった場合、上昇温度である０．８℃をもってそのまま余熱上昇温度としてもよく、誤差を考慮してたとえば１．０℃を余熱上昇温度としてもよい。
【００４８】
さらに、余熱上昇温度は、過去複数回の追い焚き時における余熱による上昇温度の平均値をもとにして規定することができる。たとえば前５回の追い焚き時における余熱による上昇温度をメモリに格納しておき、その平均値が０．７℃であった場合、平均値である０．７℃をもってそのまま余熱上昇温度としてもよく、前述のように誤差を考慮してたとえば１．０℃を余熱上昇温度としてもよい。
【００４９】
そして、余熱上昇温度は、設定温度との関係、大気温度との関係、あるいは設定温度と大気温度との関係で規定することができる。つまりこれは、余熱による湯温の上昇は、設定温度の高低や季節などによる大気温度の高低により変動するものであることに着目したものである。
【００５０】
設定温度との関係で余熱上昇温度を規定する場合は、表１に示すようなデータがあらかじめメモリに格納される。
【００５１】
【表１】
0003777037.tif 000002
これによれば、たとえば設定温度を４１．５℃とした場合には、その設定温度からｈ2 ℃だけ低い温度まで風呂熱交換器３により残水が加熱され、そこから余熱による湯温上昇が行われる。
【００５２】
また、大気温度との関係で余熱上昇温度を規定する場合は、表２に示すようなデータがあらかじめメモリに格納される。
【００５３】
【表２】
0003777037.tif 000003
これによれば、たとえば厳冬下であるために大気サーミスタ３５で測定された大気温度が−８．０℃である場合には、設定温度からｈ3 ℃だけ低い温度まで風呂熱交換器３により残水が加熱され、そこから余熱による湯温上昇が行われる。なお、一般に、大気温度が低くなるほど余熱上昇温度は小さくなる。
【００５４】
そして、設定温度と大気温度との関係で余熱上昇温度を規定する場合は、表３に示すようなデータがあらかじめメモリに格納される。
【００５５】
【表３】
0003777037.tif 000004
これによれば、たとえば設定温度が４１．０℃で大気温度が−８．０℃である場合には、設定温度からｈ21℃だけ低い温度まで風呂熱交換器３により残水が加熱され、そこから余熱による湯温上昇が行われる。
【００５６】
なお、これらの表１〜３において、規定された余熱上昇温度はｈ1 〜ｈ459 までの相互に異なる記号で表されているが、これは余熱上昇温度が相互に異なることを意味するものではなく、一部が同一となっていてもよい。
【００５７】
また、前述した実施の形態では、残水を加熱するときの設定温度は浴槽１２への湯張りが完了した最終的な沸き上がり温度と同一とされているが、沸き上がり温度とは異なる温度としてもよい。
【００５８】
【発明の効果】
以上の説明から明らかなように、本発明によれば以下の効果を奏することができる。
【００５９】
すなわち、残水の追い焚きにおいて設定温度の変更があっても追い焚き動作がそのまま継続して行われるようになっているので、設定温度の変更がない場合と同様に、残水の正味の沸き上がり時間を計測することが可能になる。
【００６０】
そして、これにより、残水量演算を行った結果から正確な残水量を求めることができる。
【図面の簡単な説明】
【図１】本発明の一実施の形態である残水量演算方法が適用される風呂給湯器を示す概略図である。
【図２】本発明の一実施の形態である残水量演算方法が用いられた湯張り運転の手順を示すフローチャートである。
【図３】図２のフローチャートにおける設定温度の変更と湯温との関係を示すグラフである。
【図４】従来の追い焚きによる残水量を求める手順を示すフローチャートである。
【図５】図４のフローチャートにおける設定温度の変更と湯温との関係を示すグラフである。
【符号の説明】
１      風呂給湯器
２      給湯熱交換器
３      風呂熱交換器
４      給湯配管
５      フローセンサ
６      熱交サーミスタ
７      バイパス通路
８      出湯サーミスタ
９      水量制御弁
１０    給湯確認スイッチ
１１    ハイカットガバナ
１２    浴槽
１３    燃焼室
１４    風呂配管
１４ａ  戻り管
１４ｂ  往き管
１５    循環ポンプ
１６    分岐管
１７    注湯弁
１８    逆止弁
１９    風呂流水スイッチ
２０    風呂サーミスタ
２１    元ガス電磁弁
２２    ガス比例弁
２３    主ガス配管
２４    風呂ガス配管
２５    給湯ガス配管
２６    風呂ガス電磁弁
２７ａ  給湯ガス電磁弁
２７ｂ  ガス切替弁
２７ｃ  ガス切替弁
２８    風呂バーナ
２９ａ  給湯バーナ
２９ｂ  給湯バーナ
２９ｃ  給湯バーナ
３０    風呂イグナイタ
３１    給湯イグナイタ
３２    風呂フレームロッド
３３    給湯フレームロッド
３４    燃焼ファン
３５    外気サーミスタ
３６    外気サーミスタ
３７    ＡＦセンサ
４０    電装基板
４１    リモコン
４１ａ  浴室リモコン
４１ｂ  台所リモコン
【図１】
0003777037.tif 000005
【図２】
0003777037.tif 000006
【図３】
0003777037.tif 000007
【図４】
0003777037.tif 000008
【図５】
0003777037.tif 000009